(57)【特許請求の範囲】
【請求項１】
各室の玄関先などに設置した電気錠を施錠して、外出する際に操作する在室確認スイッチを有し、在室、不在室を検知し、在室を検知したときには、在室モードとなって、その室内における生活情報を監視し、所定期間内に生活情報がない場合には、異常を報知する生活異情報監視システムにおいて、
前記在室確認スイッチを操作せずに、室外より電気錠を施錠したときには、前記各室に設置された住宅情報盤により、室内に音声メッセージを出力して、在室確認スイッチの操作を促すことを特徴とする生活情報監視システム。
【請求項２】
請求項１において、
電気錠の施錠によって、音声メッセージが所定時間継続して出力された後は、不在モードに自動的に切換え設定されるようにした生活情報監視システム。
【請求項３】
請求項１または２において、
前記住宅情報盤から出力される音声メッセージが、前記生活情報監視システムが不在モードに切換え設定されたことを報知するものである生活情報監視システム。
【請求項４】
請求項１から３のいずれかにおいて、
前記住宅情報盤には、戸外に設置されたドアホン子器が接続され、前記ドアホン子器より在室確認スイッチの操作忘れを防止するための音声メッセージを出力する構成としている生活情報監視システム。
【請求項５】
請求項１から４のいずれかにおいて、
前記電気錠が、室外より施錠されたときに、不在室を検知し、室内より施錠されたときに、在室を検知するようにした在室管理錠で構成されている生活情報監視システム。
【請求項６】
請求項１から５のいずれかにおいて、
前記生活情報監視システムは、生活異常監視盤を備え、前記生活異常監視盤が、音声メッセージを記録する音声記録手段を備えており、
前記音声記録手段に、上記住宅情報盤より出力される音声メッセージを記録させる構成としている生活情報監視システム。
【請求項７】
請求項１から６のいずれかにおいて、
前記住宅情報盤が、音声メッセージを記録する音声記録手段を備えており、
前記音声記録手段に音声メッセージを記録させる構成としている生活情報監視システム。
【請求項８】
請求項１から７のいずれかにおいて、
前記電気錠が、シークレットスイッチにシークレット番号を入力して解錠する一方、扉を閉じたときには自動的に施錠されるオートロック錠で構成されている生活情報監視システム。
【発明の詳細な説明】
【０００１】
【発明の属する技術分野】
本発明は、生活情報監視システムに関し、特に、室や住戸などに複数人が居住している場合に、人が室内に残されているにもかかわらず、その室が不在モードになってしまうのを未然に防止するようにした生活情報監視システムに関する。
【０００２】
【従来の技術】
近時、一人暮しの老人や、病人が、各室、各住戸内で、脳卒中や、心筋梗塞等の不意の病や、何等かの事故によって倒れた場合などに迅速に発見するため、生活情報監視システムが開発されている。
図７は、そのような従来の生活情報監視システムを概略的に示す全体構成図である。
【０００３】
このシステム１０１は、老人ホームや集合住宅等の管理人室または防災センター等に設けられる生活異常監視盤１０２と、各室、各住戸に設けられる生活異常検知センサ１０３、電気錠１０４、在室確認スイッチ１０５、住宅情報盤１０６を備えて構成されている。
ここに、生活異常検知センサ１０３としては、各室、各住戸内の人の動きを検知する赤外線検知センサや、トイレの水等の使用状態を検知する水量検知センサや、ガスの使用状態を検知するガス使用量検知センサ等が提案されている。
【０００４】
このシステム１０１では、生活異常監視盤１０２において、例えば、赤外線検知センサが、所定時間、人の移動を検知しなかったり、水量検知センサが、所定時間、水洗トイレの水が使用されていないことを検知したり、ガス使用量検知センサが、所定時間、ガスが使用されていないことを検知すると、各室、各住戸内の人に異常が発生したと判断して、生活異常監視盤１０２から警報を出力したり、生活異常監視盤１０２から、通信線Ｌを介して予め設定された通報先（例えば、ＬＳＡ室、警備会社、病院、消防署等）を自動的にダイヤルし、異常が起きたことを通報したりするようになっている。
【０００５】
また、各室、各住戸の人が外出する際、他の人が各室、各住戸内に残されている場合には、例えば、在室確認スイッチ１０５を押して３分間以内に室外から電気錠１０４を施錠すると、電気錠１０４を施錠した室は在室モードとなって、異常監視を行う一方、人が外出する際に在室確認スイッチ１０５を押さずに電気錠１０４を施錠すると、不在モードとなって、誤った警報が出力されないようになっている。
【０００６】
【発明が解決しようとする課題】
ところが、図７に示す生活情報監視システム１０１では、他の人が、室内に残されているにもかわらず、外出する人が誤って、在室確認スイッチ１０５を押さずに電気錠１０４を施錠してしまう場合が多く、この場合には、人が室内に残されているにもかかわらず、不在モードになってしまうため、その室内に残された人に異常が生じても、監視室や通報先では検知することができず、ゆゆしき事態を生じてしまうという問題がある。
【０００７】
本発明は、以上のような問題を解決するためになされたもので、各室、各住戸内に人を残したまま施錠して、在室確認スイッチを押さずに外出してしまうといった事態を未然に防止するようにした生活情報監視システムを提供することを目的とする。
【０００８】
【課題を解決するための手段】
上記目的を達成するために提案される請求項１に記載の生活情報監視システムは、各室の玄関先などに設置した電気錠を施錠して、外出する際に操作する在室確認スイッチを有し、在室、不在室を検知し、在室を検知したときには、在室モードとなって、その室内における生活情報を監視し、所定期間内に生活情報がない場合には、異常を報知する生活情報監視システムにおいて、在室確認スイッチを操作せずに、電気錠を施錠したときには、各室に設置された住宅情報盤により、室内に音声メッセージを出力して、在室確認スイッチの操作を促す機能を備えたものである。
【０００９】
この生活情報監視システムでは、在室確認スイッチを操作せずに、電気錠を施錠したときには、各室に設置された住宅情報盤より音声メッセージを出力するようにしてあるので、外出する人が、この音声メッセージを聞くことで、室内に、人が残っているか否かに注意を喚起させて確認できるため、室内に人が残っているにもかかわらず、誤って、不在モードに設定して、その室を監視対象から除外してしまうという事態が未然に防止できる。
【００１０】
また、住宅情報盤より音声メッセージが出力されるので、在室者にも、注意を喚起させ、万一、外出する者が在室確認スイッチの操作をし忘れて施錠し、外出しても、室に残された者が自ら在室確認スイッチを操作することにより、在室モードに切換え設定できる。
請求項２に記載の生活情報監視システムは、室外からの電気錠を施錠することによって、音声メッセージが所定時間継続して出力された後は、不在モードに自動的に設定されるようになっている。
【００１１】
請求項３に記載の生活情報監視システムは、住宅情報盤は音声メッセージによって不在モードに設定されたことを報知するようにしている。
この生活情報監視システムでは、在室確認スイッチを操作せずに、電気錠を施錠したときには、例えば、「室内には、誰もいないことを確認しましたか？不在モードにして生活異常監視を解除しますので、ご確認下さい。」等の音声メッセージを出力させて不在モードに設定されたことを報知するようにしているので、人が外出する際に、他の人が室内に残っているか否かの確認ができる。
【００１２】
請求項４に記載の生活情報監視システムは、住宅情報盤に接続され、戸外に設置されたドアホン子器より在室確認スイッチの操作忘れを防止するための音声メッセージを出力する構成としている。
この生活情報監視システムでは、外出する人が、住宅情報盤だけでなく、既に扉を閉め、外側から電気錠を施錠した状態でも、ドアホン子器より、音声メッセージをはっきりと聴くことができるため、室内に人がいるにもかかわらず、誤って、不在モードに放置したままで、外出して行ってしまうという事態が、より一層防止される。
【００１３】
請求項５に記載の生活情報監視システムは、電気錠が室外より施錠されたときには、不在を判別し、室内より施錠されたときには、在室を判別する在室管理錠で構成されている。
この生活情報監視システムでは、電気錠として、施解錠検知以外に、在室、不在室の判別を行う在室管理錠を用いているので、生活異常監視盤の構成を簡易に出来る。
【００１４】
請求項６に記載の生活情報監視システムは、音声メッセージの記憶に関したもので、管理人室や防災センターなどに設置される生活異常監視盤に音声メッセージを記録する音声記録手段を備えており、この音声記録手段に、在室確認スイッチの操作忘れを防止するための音声メッセージを記録させる構成としている。
この生活情報監視システムでは、音声メッセージ記録手段を、生活異常監視盤に設けているので、各室に流す音声メッセージを管理人室等で集中管理でき、各室に、同じ表現内容の音声メッセージを出力させることができる。
【００１５】
請求項７に記載の生活情報監視システムは、住宅情報盤に音声メッセージを記録する音声記録手段を備えており、この音声記録手段に、在室確認スイッチの操作忘れを防止するための音声メッセージを記録させる構成としている。
この生活情報監視システムでは、各室に設置された住宅情報盤が、音声メッセージを記録する音声記録手段を備えているので、住宅情報盤のユーザーサイドで自由な表現で、在室確認スイッチの操作忘れを防止するための音声メッセージを録音できるのみならず、その他の音声メッセージも記録できる。
【００１６】
請求項８に記載の生活情報監視システムでは、各室に設置される電気錠が、シークレットスイッチにシークレット番号を入力して解錠する一方、扉を閉じたときには自動的に施錠されるオートロック錠を構成としている。
この生活情報監視システムでは、電気錠を、シークレットスイッチにシークレット番号を入力して解錠する一方、扉を閉じたときには自動的に施錠される構成になっているので、電気錠を施解錠する鍵等の施解錠手段が不要となる。
【００１７】
【発明の実施の形態】
以下に、本発明の実施の形態について、図面とともに説明する。
この例では、生活情報監視システムは、管理人室や防災センターなどに設置される生活異常監視盤を備えており、この生活異常監視盤に音声メッセージを記録する音声記録手段を設けている。
【００１８】
図１は本発明に係る生活情報監視システムの一例を概略的に示す全体構成図であり、図２は生活情報監視システムの要部の回路構成を示すブロック図、図３は生活情報監視システムの動作を説明するフローチャートである。
この生活情報監視システムＡは、図１に示したように、老人ホーム、集合住宅等の管理人室または防災センター等に設けられる生活異常監視盤２、各室内に設置される、生活異常検知センサ３、在室確認スイッチ１、外出確認スイッチ５、住宅情報盤６及び各室の玄関先等に設置された電気錠４、各室の玄関先等に設置され、住宅情報盤６に接続されたドアホン子器７を備えている。
【００１９】
ここに、生活異常監視盤２は、図２に示したように、システムＡの全体を制御するコントローラ（ＣＰＵ）２１と、音声メッセージを記録する音声記録手段２２と、各室内の人に異常が発生したと判断した場合に、予め設定された異常警報の通報先（ＬＳＡ室、警備会社、病院、消防署等）に、自動的にダイヤルして、通信回線Ｌを介して、異常を通報する、自動ダイヤル通報手段２３を備えている。
【００２０】
生活異常検知センサ３は、各室内の人の動きを検知する赤外線検知センサ、トイレの水等の使用状態を検知する水量検知センサや、ガスの使用状態を検知するガス使用量検知センサ等のいずれでもよく、また、これらを２以上組み合わせるようにしてもよい。
このような生活情報監視システムＡでは、生活異常検知センサ３からの検知信号は、生活異常監視盤２で判別され、生活異常検知センサ３によって所定時間、生活情報が検知されていない場合には、その室内の人に異常が発生したと判断して警報を出力するとともに、必要に応じて、自動ダイヤル通報手段２３によって予め設定された通報先を自動的にダイヤルして異常を通報するようになっている。
この例では、通信線Ｌとしては電話回線を想定した通報システムを構成しているが、生活異常監視盤２が異常を判別したときに、住宅情報盤６を通じて、これに接続された警報監視盤に通報する構成にしてもよい。
【００２１】
生活異常監視盤２の音声記録手段２２は、ＩＣメモリや磁気テープを記録媒体に使用して、必要な音声メッセージが登録できるようになっている。
例えば、外出者に在室確認スイッチの操作を促す場合には、信号音を出力させた後、「在室確認スイッチの操作を確認してください。室内に人はいらっしゃいませんか？」等の音声メッセージを記録することができ、また、外出者に不在モードへの移行を報知する場合には、信号音を出力させた後、「不在モードに設定します。室内に人が残されていないかどうかご確認下さい。」等の音声メッセージを記録することができる。
【００２２】
一方の住宅情報盤６は、住宅情報盤６を制御するコントローラ（ＣＰＵ）６１、リレースイッチ６２、スピーカ６３、増幅回路６４，６５、インターホン通話回路６６及び送受話器（不図示）等を備えており、ドアホン子器７の呼出釦７１が押されると、リレースイッチ６２をインターホン通話回路６６側へ切換接続して、住宅情報盤６との間で、所定時間の間、インターホン通話ができるようになっている。
【００２３】
電気錠４は、管理人室または防災センター等に設けられた電気錠制御装置からの施解錠信号によって、施解錠できるようになっており、各室の外側からは扉を閉じ鍵８を鍵孔４１に差し込んで施解錠でき、また、内側からは、扉の室内側に設けられた施解錠サムターン４２を操作して施解錠できるようになっている。
この電気錠４を在室管理錠で構成すれば、室外より施錠されたときには不在を判別し、室内より施錠されたときには在室を判別するので、このような在室管理錠を設けたものでは、生活異常監視盤２の在不在判定回路あるいはコントローラによる判別処理が不要となり、生活異常監視盤２の回路構成を簡易に出来る。
【００２４】
このような在室管理錠は、例えば、鍵孔４１や施解錠サムターンにマイクロスイッチ（不図示）を付設しており、鍵孔４１に設けたマイクロスイッチが外側から電気錠４が施錠されたことを検知した場合には不在検知信号を出力し、施解錠サムターンに設けたマイクロスイッチが内側から電気錠４が施錠されたことを検知した場合には在室検知信号を出力するようになっている。
【００２５】
なお、外出確認スイッチ５は、音声メッセージを出力させずに、生活監視システムを強制的に不在モードに移行させるためのものであり、室内に人が残されずに外出する場合などに操作され、管理人室などに外出したことを報知し表示するために設けられている。
次に、この生活情報監視システムＡの基本動作を説明する。
【００２６】
このシステムＡでは、在室確認スイッチ１が押圧操作されると、その情報が、コントローラ（ＣＰＵ）２１の記憶手段に一時的に記憶されるようになっている。例えば、在室確認スイッチ１が押圧操作されると、在室フラグがセットされ、セットされたフラグは３分間保持され、その間に電気錠の施錠、解錠が何等されない場合にはセットされたフラグは自動的にリセットされるようになっている。フラグの３分間のセット保持は、在室確認スイッチ１を操作してから施錠するまでに要する通常の操作時間を想定しており、任意の時間に設定できる。（図３のフローチャート参照）。
【００２７】
コントローラ２１は、電気錠４が施錠されると、フラグを参照して、セットされているかどうかを判別し、セットされていない場合には、在室確認スイッチ５は操作されていないと判断して、音声記録手段２２に記憶された音声メッセージを読み出し、住宅情報盤６のコントローラ（ＣＰＵ）６１へ出力する。
その結果、住宅情報盤６のスピーカ６３からは、前述したような音声メッセージが出力され、このとき出力された音声メッセージは、施錠した電気錠が再び解錠されない限りは、１分間継続して出力され、１分を経過すれば、監視解除モードに自動的に切換設定され、監視システムは不在モードを実行する。この例では１分にしているが、この時間は使用状況を考慮して最適な値に設定される。
【００２８】
このような制御動作を行えば、在室確認スイッチ１を操作せずに扉を閉じて室外から施錠した場合には、住宅情報盤６やドアホン子器７より音声メッセージが出力されるので、在室確認スイッチ１の操作を忘れていても、これを想起させることができる。また、室内に人が残されていない状態で外出する場合には、音声メッセージが出力された状態をそのまま所定時間（図４では１分間）放置しておけば、不在モードに自動的に切換え設定されるので、外出確認スイッチ５を操作する必要もなく、そのまま外出できる。
【００２９】
他方、コントローラ２１がフラグを参照した結果、フラグがセット状態に保持されている場合には、室内に人が残されているものと判断し、音声記録手段２２から音声メッセージを読み出すことなく、生活情報監視システムを監視モードに継続する。
なお、図３のステップ２００〜ステップ２０４は、在室確認スイッチが操作された場合のフラグの設定動作を示すフローチャート、図４のステップ３００〜３０８は本発明の生活情報監視システムの基本動作を示すものである。
【００３０】
以上より理解されるように、本発明の生活情報監視システムによれば、外出時に在室確認スイッチを操作せずに、電気錠を外側から施錠したときには、その室に設置された住宅情報盤やドアホン子器より音声メッセージが繰り返し出力されるので、外出しようとする人は、この音声メッセージを聞くことで、室内に、人が残っているか否かを確認できる。そのため、室内に人が残っているにもかかわらず、不在モードに切換え設定して、外出してしまうという事態が未然に防止できる。
【００３１】
また、住宅情報盤やドアホン子器より音声メッセージが繰り返し出力されるので、室に残された者も、そのことが分かる。したがって、外出する者が操作を忘れていても、室に残された者が、自ら在室確認スイッチを操作することにより、監視システムを在室モードに設定できるため、安心でき、老人や病人や足の不自由な者にとっては特に有益である。
【００３２】
また、以上の実施例では、生活異常監視盤２に音声記録手段２２を設けているので、各室に流す音声メッセージを管理人室等で集中して登録でき、各室に対して同じ表現内容の音声メッセージを出力させることができる。
図５は生活情報監視システムの他例を概略的に示す構成図、図６は生活情報監視システムの回路構成の概略を示すブロック図である。
【００３３】
この例では、住宅情報盤６に音声記録手段６７を設けて、この音声記録手段６７に音声メッセージを記憶させるようにしており、電気錠４Ａは、ＩＤカード８１をカードリーダに読取走査させて、解錠させる在室管理錠で構成されている。そのため、生活異常監視盤には在、不在判定回路は不要となり、構成を簡略に出来る。
【００３４】
電気錠は、ＩＤカードを用いて、ＩＤカードに登録されたＩＤコードをカードリーダによって読取走査して、解錠する構成の他、電気錠にシークレット番号を入力するためのシークレットスイッチを設け、シークレットスイッチから、シークレット番号を入力させて電気錠を解錠させる構成にしてもよい。
【００３５】
【発明の効果】
以上、詳細に説明したように、請求項１に記載の生活情報監視システムでは、在室確認スイッチを操作せずに、室外から電気錠を施錠したときには、各室に設置された住宅情報盤より音声メッセージを出力して、室内に人が残されていないかどうかを確認させ、人が施錠して、そのまま外出しようとしたときに、室内に人が残っているかどうかを考えさせる時間を与えることができる。
そのため、室内に残っているにもかかわらず、システムを不在モードに切換え設定し、室を施錠したままで外出してしまうという事態が未然に防止できる。
【００３６】
請求項２に記載の生活情報監視システムでは、外在室確認スイッチを操作せずに、室外から電気錠を施錠し、所定時間の間、音声メッセージによって在室確認スイッチの操作を促す報知した後は、システムは自動的に不在モードに切換え設定されるので、外出時には、モードが切換え設定されることを確認してから外出することができ、便利である。
【００３７】
請求項３に記載の生活情報監視システムでは、住宅情報盤は、音声メッセージで不在モードに設定したことを出力するので、室内に人が残されているにもかかわらず、誤って、システムを警報解除モードにしてしまうような事態を未然に防止することが出来る。
請求項４に記載の生活情報監視システムでは、在室確認スイッチを操作せずに、電気錠を施錠したときには、住宅情報盤は、音声メッセージで不在モードに設定したことを出力するので、室内に人が残されているにもかかわらず、誤って、システムを警報解除モードにしてしまうような事態を未然に防止することが出来る。
【００３８】
請求項５に記載の生活情報監視システムでは、戸外に設置されたドアホン子器より在室確認スイッチの操作忘れを防止するための音声メッセージが出力されるので、人が扉を閉じて室外に出て電気錠を施錠した後でも、音声メッセージで確認できる。これにより、人が室内に残っているにもかかわらず、在室確認スイッチを操作せずに、システムを監視解除モードに設定してしまうという事態が一層、防止される。
【００３９】
請求項６に記載の生活情報監視システムでは、電気錠として、施解錠信号以外に、室内側から施錠された信号、室外から施錠された信号を出力する在室管理錠を使用しているので、生活異常監視盤の在不在判定回路あるいはコントローラによる判別処理が不要となるので、生活異常監視盤のシステム構成を簡易化出来る。
【００４０】
請求項７に記載の生活情報監視システムでは、生活異常監視盤に音声メッセージを記録する音声記録手段手段を備えているので、各室に流す音声メッセージを管理人室等で集中して登録でき、各室に同じ表現内容の音声メッセージを流すことができる。
請求項８に記載の生活情報監視システムでは、音声メッセージを記録する音声記録手段を住宅情報盤に設けているので、住宅情報盤のユーザーサイドで自由な表現で在室確認スイッチの操作忘れを防止するための音声メッセージを録音でき、またその他の音声メッセージをも記録できる。
【００４１】
請求項９に記載の生活情報監視システムでは、電気錠を、シークレットスイッチにシークレット番号を入力して解錠する一方、扉を閉じたときには自動的に施錠される構成としたので、電気錠を施解錠する鍵等の施解錠手段が不要となる。
【図面の簡単な説明】
【図１】本発明に係る生活情報監視システムの一例を概略的に示す全体構成図である。
【図２】本発明に係る生活情報監視システムの一例の回路構成の要部を概略的に示すブロック図である。
【図３】本発明に係る生活情報監視システムの一例の動作を概略的に示すフローチャートである。
【図４】本発明に係る生活情報監視システムの一例の動作を概略的に示すフローチャートである。
【図５】本発明に係る生活情報監視システムの他例を概略的に示す全体構成図である。
【図６】本発明に係る生活情報監視システムの他例の回路構成の要部を概略的に示すブロック図である。
【図７】従来の生活情報監視システムを概略的に示す全体構成図である。
【符号の説明】
Ａ，Ｂ  生活情報監視システム
１  在室確認スイッチ
２  生活異常監視盤
３  生活異常検知センサ
４    電気錠
４Ａ  在室管理錠
５    外出確認スイッチ
６  住宅情報盤
７    ドアホン子器
８  鍵
２２、６６  音声記録手段
【図１】
0003551652.tif 000002
【図２】
0003551652.tif 000003
【図３】
0003551652.tif 000004
【図４】
0003551652.tif 000005
【図５】
0003551652.tif 000006
【図６】
0003551652.tif 000007
【図７】
0003551652.tif 000008